(57)【要約】      （修正有）【課題】使用布生地の製品への歩止まりが向上し、製作も簡便で、斬新なデザインも簡便に付与出来るヘルメット保護カバーを提供する。【解決手段】ヘルメット本体の前面開口に対応する前面開口部Ｏ４の開口上辺ｔｅの前頭部分からヘルメット頭頂部を経て後頭部に亘る縦布片５と、ヘルメット本体の前面開口に対応する前面開口部Ｏ４の開口下辺ｂｅ及び開口両側辺ｓｅを備えて、ヘルメット本体の下部から両側頭部に亘る横布片６とを伸縮布で形成し、縦布片５の両側縁に横布片６の両側縁を接合一体化する。【選択図】図１
0003180378.tif 000002
【実用新案登録請求の範囲】
【請求項１】
ヘルメット本体（１）の前面開口（Ｏ）に対応する前面開口部（Ｏ４）の開口上辺（ｔｅ）の前頭部分からヘルメット頭頂部を経て後頭部に亘る縦布片（５）と、ヘルメット本体（１）の前面開口（Ｏ）に対応する前面開口部（Ｏ４）の開口下辺（ｂｅ）及び開口両側辺（ｓｅ）を備えて、ヘルメット本体（１）の下部から両側頭部に亘る横布片（６）とを伸縮性布で形成し、縦布片（５）の両側縁（５Ｓ）に横布片（６）の両側縁（６Ｓ）を接合一体化した、ヘルメット保護カバー。
【請求項２】
縦布片（５）の両側縁（５Ｓ）は、開口上辺（ｔｅ）を備えた台形（ｔｒ）の両側基端（ｂｐ）からの底辺（５ｂ）の両端に対する垂直線であり、横布片（６）の両側縁（６Ｓ）は、底辺（６ｂ）の両端から、外方に緩傾斜で膨出して起立し、曲部（ｒ）から内方に緩降下して両側辺（Ｓｅ）の上端へと連なるＬ字形状の緩曲線である、請求項１に記載のヘルメット保護カバー。
【請求項３】
前面開口部（Ｏ４）の開口周縁（７）と、ヘルメット本体（１）の開口底面に対応する底辺周縁（８）とに、ゴム伸縮機能を付与した、請求項１、又は２に記載のヘルメット保護カバー。
【請求項４】
縦布片（５）及び横布片（６）は、寸法形態が同一の表布地（１１）と裏布地（１２）とを縁辺で縫合した二層布形態とし、適宜位置で表裏布を部分縫合（ＰＳ）して、切開口（ＣＯ）を備えた収納ポケット（１３）を形成した、請求項１、又は２、又は３に記載のヘルメット保護カバー。
【請求項５】
縦布片（５）と横布片（６）とを着脱自在に接合一体化した、請求項１乃至４のいずれか１項に記載のヘルメット保護カバー。
【請求項６】
前面開口部（Ｏ４）の開口上辺（ｔｅ）の先端、及び底辺周縁（８）適所に面ファスナー（１９）を配置し、ヘルメット内面の被覆布（９）に配置した面ファスナー（９´）と係脱可能とした、請求項１乃至５のいずれか１項に記載のヘルメット保護カバー。
【考案の詳細な説明】
【技術分野】
【０００１】
本考案は、オートバイ又は自転車の運転者が着用する前面開口を備えたヘルメットの外表面に被覆して、ヘルメット本体の外表面を保護するための保護カバーに関するものであり、より詳しくは、伸縮性の、縦布片と横布片との２部材で保護カバーを構成し、使用布生地量の切出し無駄を減らすと共に、意匠性の向上が図れ、ヘルメットの外表面に対する位置ずれも抑制出来る保護カバーに関するものである。
【背景技術】
【０００２】
ヘルメットは、歩行者などへの接触、衝突による怪我の重大化を避けるため、一般的に、金属部材は用いられず、ＦＲＰ樹脂（繊維強化プラスチック）やＡＢＳ樹脂であるが、ヘルメット着用走行時には、走行している前方車両や対向車のタイヤで弾いた石や砂、アスファルト片等、また虫などが、ヘルメットに衝突して、ヘルメットの外表面に損傷、汚染を生ずることとなる。
【０００３】
ヘルメットの外表面の損傷、汚染を防止する手段として、特許文献１に挙げた、ヘルメットカバーが提案されている。
図６は、特許文献１として挙げた従来例であって、図６（Ａ）はヘルメットカバーの正面図であり、図６（Ｂ）はヘルメットカバーをヘルメットに装着した状態の縦断側面図である。
【０００４】
従来例のヘルメットカバーは、伸縮自在の布でヘルメット外面より一回り小さく形成したものであって、図６に示す如く、ヘルメット前面開口部の、上部及び左右部を巻き込むように被うカバー前面開口部を設けて、ヘルメットカバーの前面開口部の上部及び左右部の裏面には、ヘルメット内部パッドの面ファスナーと係合するための面ファスナーを配置し、ヘルメットカバーの下面開口部に伸縮ゴム紐を配置しておき、ヘルメット本体に、伸縮布のカバーを伸長装着すれば、カバーはヘルメット外面に隙間なく被覆出来、カバーの下面開口部のゴム紐の収縮と、カバーの面ファスナーのヘルメット本体側の面ファスナーへの係止によって、カバーの完全被覆を可能としたものである。
【先行技術文献】
【特許文献】
【０００５】
【特許文献１】特開平１１−３２３６４７号公報
【考案の概要】
【考案が解決しようとする課題】
【０００６】
従来（図６）のヘルメットカバーは、構成布の伸縮性によってヘルメット外面に対して一回り小さめに形成し、ヘルメット表面の凹凸にも対応させるものであるが、ヘルメット外表面全体の前後方向及び左右方向の多様な凹凸形状にカバーを隙間無くフィットさせる形態に、伸縮布生地を切出す際には、布生地の裁断が煩雑、且つ精緻な作業で、布の製品化歩止まりも低い。
また、完成品としてのヘルメットカバーを、ヘルメット外表面の前後方向及び左右方向の多様な凹凸形状に対して、伸縮性で対応して密着被覆させれば、各所に伸縮斑を生じ、伸縮布の不均斉伸長での長期耐用は、耐用劣化を生ずる。
しかも、ヘルメットカバーへの、例えば、ツートーンカラーの如き意匠性の付与は、手描き染色等の複雑な手段が必要であり、伸縮斑を生ずるヘルメットカバーへの所望のデザイン付与は困難である。
【０００７】
本願考案は、従来例の、これらの問題点を解決又は改善したヘルメット保護カバーを提供するものであって、使用布生地のヘルメットカバーへの使用量の歩止まりが向上し、製作も簡便で、斬新なデザインも簡便に付与出来る手段を提供するものである。
【課題を解決するための手段】
【０００８】
本考案のヘルメット保護カバー４は、例えば図１に示す如く、ヘルメット本体１の前面開口Ｏに対応する前面開口部Ｏ４の開口上辺ｔｅの前頭部分からヘルメット頭頂部を経て後頭部に亘る縦布片５と、ヘルメット本体１の前面開口Ｏに対応する前面開口部Ｏ４の開口下辺ｂｅ及び開口両側辺ｓｅを備えて、ヘルメット本体１の下部から両側頭部に亘る横布片６とを伸縮性布で形成し、縦布片５の両側縁５Ｓに横布片６の両側縁６Ｓを接合一体化して、ヘルメット本体の外表面全体を、視界確保用の前面開口Ｏを閉止することなく被覆するものである。
【０００９】
この場合、縦布片５と横布片６とは、同一布地でも、異種布地でも良く、色彩も同一色でも、異色でも良い。
また、縦布片５と横布片６との接合線Ｊ１，Ｊ２での接合一体化は、布片接合の慣用手段である縫製手段や釦手段等を適用すれば良く、縦布片の両側縁５Ｓの全長に、横布片の両側縁６Ｓの全長が整合接合出来れば良い。
また、ヘルメット保護カバーの全体形状は、使用布地の伸縮性（標準伸縮度：１０％）を加味して、ヘルメット本体の外形よりも若干小さく形成すれば良い。
【００１０】
従って、本考案のヘルメット保護カバー４は、ヘルメット本体１の前頭部から頭頂部を経て後頭部に至る領域を縦布片５で被覆し、縦布片５の被覆領域を除く全てのヘルメット外面を横布片６が被覆する形態となるため、使用布生地の裁断切出しは、中央部の縦布片５を基準に、横布片６はヘルメット外表面の完全被覆を可能とするように寸法割り出しすることとなり、使用生地の製品への歩止まりが向上する。
そして、ヘルメット保護カバー４は、従来の保護カバー同様に、ヘルメット本体外面の損傷を防止する。
しかも、縦布片５を、横布片６に対して異色とすれば、ヘルメット外面は、中央部の前後方向の色彩が両側面と異色となり、ヘルメット本体への斬新なデザイン付与となる。
【００１１】
また、本考案のヘルメット保護カバーは、図２、図３（Ａ）に示す如く、縦布片５の両側縁５Ｓは、開口上辺ｔｅを備えた台形ｔｒの両側基端ｂｐからの底辺５ｂの両端に対する垂直線であり、横布片６の両側縁６Ｓは、底辺６ｂの両端から、外方に緩傾斜で膨出して起立し、曲部ｒから内方に緩降下して両側辺Ｓｅの上端へと連なるＬ字形状の緩曲線であるのが好ましい。
この場合、横布片６の両側縁６Ｓは、緩屈曲Ｌ字形状によって、縦布片５の直線形状の両側縁５Ｓと接合して、ヘルメット外面の曲面に適合する曲面の形成が可能となる。
【００１２】
従って、本考案のヘルメット保護カバーの製作は、ヘルメット本体の頭部の前端から後端に亘って被覆する台形ｔｒ上部を備えた矩形状の縦布片５は、両側縁５Ｓが直線状であるため、横布片６の緩曲線Ｌ字状の両側縁６Ｓは直線部への接続となり、縫製等の接合作業が容易となる。
そのため、縦布片５と横布片６との適切な採寸切出しによって、且つ両布片の接合の簡便さによって、生地布からの製品への歩止まりが向上し、特に、シールドを備えたヘルメット本体外面にフィットしたカバーが簡便に製作出来る。
【００１３】
この場合、ヘルメット本体外面の曲面に適合出来るための縦布片５と横布片６との採寸切出しは、矩形で両側縁５Ｓが直線の縦布片５を基準とし、横布片６の、緩傾斜、緩曲線でのＬ字状の両側縁６Ｓの対応寸法決定となるため、横布片６の複雑な両側縁６Ｓの寸法割出し作業が容易となる。
そして、ヘルメット保護カバー４は、ヘルメット本体の外表面に近似の形態に形成出来るため、縦布片５と横布片６との伸縮性（標準１０％）は小さく出来、布地（標準：トリコット布）の選択の自由度が向上する。
しかも、縦布片５が保護カバー４の前頭部から後頭部に亘る中央域を占めるため、保護カバー４は、左右に偏りの生じない、即ち左右同形で、ヘルメット本体外表面にフィットした保護カバーとなる。
【００１４】
そして、縦布片５は、ヘルメット外表面の前頭部から後頭部への広幅帯状となるため、側頭部を横巻きする横布片６に対して異色、即ち縦布片５は白、横布片６は黒等、とすれば、ヘルメット保護カバー５は、前後方向に接合線Ｊ１，Ｊ２で区画された色彩アクセントが入り、オートバイ用ヘルメット等にスピード感を呈する斬新なデザインを提供する。
また、ヘルメット保護カバーは、用意した縦布片５と横布片６との選択、接合により、需要者の好みに応えたデザインの提供が可能となる。
【００１５】
また、本考案のヘルメット保護カバーにあっては、図１（Ａ）に示す如く、前面開口部Ｏ４の開口周縁７と、ヘルメット本体１の開口底面に対応する底辺周縁８とに、ゴム伸縮機能を付与するのが好ましい。
【００１６】
この場合、ゴム伸縮機能付与手段としては、それぞれの部位に直接ゴム紐を縫い付けても良いが、ヘルメットカバーの、開口周縁７及び底辺周縁８は、縫製手段では慣用の、端縁の折返し縫い、又は別体のテープ布でのヘム縫い付け等で筒状ヘム（縁）を形成して、筒状ヘム内にゴム紐を封入すれば、ヘルメット保護カバー４は、表裏反転のリバーシブル使用が可能となる。
そして、ヘルメット保護カバー４の開口周縁７及びカバー底辺周縁８のゴム伸縮機能は、ヘルメット保護カバー４のヘルメット外表面に対する完全な被覆形態保持と、外側空気流によるカバーの位置ずれ防止とを保証する。
【００１７】
また、本考案のヘルメット保護カバー４にあっては、縦布片５及び横布片６は、寸法形態が同一の表布地１１と裏布地１２とを縁辺で縫合した二層布形態とし、適宜位置で表裏布を部分縫合ＰＳして、切開口ＣＯを備えた収納ポケット１３を形成するのが好ましい。
この場合、表布地１１と裏布地１２とは、二層風通形態であるため、需要者サイドでも、部分縫合ＰＳの縫い付けによって、所望形状の収納ポケット１３が、自在に付加形成出来る。
【００１８】
従って、表布地１１と裏布地１２とは、異色とすれば表裏を反転して使用することにより意匠変化が楽しめ、表布地１１と裏布地１２とに照射日光の反射率の異なる布を用いれば、反転使用によって夏季のヘルメットの加熱高温化阻止にも、冬季のヘルメットの冷却阻止にも対応出来る。
そして、収納ポケット１３には、所望物品、例えば、冷却部材や、保温部材、の封入が可能となり、ヘルメット本体の外気吸気孔ａＯの対応位置に衛生ガーゼ等を配置すれば、着用者の吸気上の衛生が確保出来る。
【００１９】
また、本考案のヘルメット保護カバー４にあっては、縦布片５と横布片６とを着脱自在に接合一体化するのが好ましい。
この場合、着脱自在の接合一体化手段としては、布片と布片との着脱係止手段として慣用の、スライドファスナー手段、面ファスナー手段、適宜間隔で配置するホック手段や釦手段を適用すれば良い。
【００２０】
従って、保護カバー４を縦布片５と横布片６とに分離することにより、洗濯や破れの補修が容易となり、複数種の保護カバー４を準備しておけば、縦布片５と横布片６との変更組合せで、接合線Ｊ１，Ｊ２で区画された所望のデザインに変更出来る。
また、縦布片５及び横布片６が表裏異色の場合は、縦布片５又は横布片６のどちらかを表裏反転接合することにより、デザイン変更が可能となる。
【００２１】
また、本考案のヘルメット保護カバー４は、例えば図１（Ａ）に示す如く、前面開口部Ｏ４の開口上辺ｔｅの先端、及び底辺周縁８適所に面ファスナー１９を配置し、ヘルメット内面の被覆布９に配置した面ファスナー９´と係脱可能とするのが好ましい。
【００２２】
この場合、ヘルメット保護カバー４の面ファスナー１９は、フック側でもループ側でも良く、ヘルメット本体１の内面の被覆布に取付けた面ファスナー９´と係脱出来れば良い。
そして、ヘルメット保護カバー４が底辺周縁８と開口上辺ｔｅとでヘルメット本体と係止すれば、カバー４は、本体の伸縮性と、開口周縁７及び底辺周縁８でのゴム弾性締着とによるヘルメット外面への密接締着被覆に、更にヘルメット本体との面ファスナー係合によって、カバー４の左右回動すら確実に阻止出来、カバー４は、ヘルメット本体１への着脱自在で、位置ずれすら生じない被覆一体化が保証される。
【考案の効果】
【００２３】
本考案のヘルメット保護カバー４は、ヘルメット本体１の前頭部から頭頂部を経て後頭部に至る領域を縦布片５で被覆し、縦布片５の被覆領域を除くヘルメット外面全域を横布片６が被覆する形態となるため、使用素材布地の裁断切出しは、中央部の縦布片５を基準として、横布片６はヘルメット外表面の完全被覆が可能なように、寸法割出しすることとなり、横布片６のみ精密設計によって、ヘルメット外表面の形態に近似の形態に形成出来るため、使用布生地として、伸縮性の小さな布地の使用が可能となって、使用布地の選択の自由度が向上する。
【００２４】
そして、布地の原反からの切出しによる無駄も少なくなり、使用布地の製品への歩止まりも向上する。
しかも、縦布片５と横布片６との接合一体化作業は、縦布片５の両側縁５Ｓへの横布片の両側縁６Ｓの整合一体化作業となり、作業性も向上する。
従って、ヘルメット保護カバー４は、使用布地の選択の自由度の下に、使用布地の無駄を抑えて、作業性良く製作出来る。
【００２５】
また、ヘルメット保護カバー４は、ヘルメット本体１の外表面の前頭部から頭頂部を経て後頭部へと続く中央の帯状の縦布片５と、縦布片５の周縁を取巻く横布片６との構成品であるため、縦布片５と横布片６とを、異色又は異種布とすることにより、ヘルメット保護カバーに、需要者の好みに応じた色彩での、接合線Ｊ１，Ｊ２で区画された色彩効果を備えた斬新なデザイン付与が可能となる。
【図面の簡単な説明】
【００２６】
【図１】本考案の説明図であって、（Ａ）は、カバー全体斜視図、（Ｂ）は、（Ａ）の一部切欠斜視図である。
【図２】本考案の要部説明図であって、横布片の平面図である。
【図３】本考案の要部説明図であって、（Ａ）は縦布片の平面図、（Ｂ）は（Ａ）のＣ−Ｃ線断面図、（Ｃ）は（Ａ）のＤ−Ｄ線断面図である。
【図４】（Ａ）は、横布片６に対する縦布片５の接合作業説明図、（Ｂ）は（Ａ）のＢ−Ｂ線断面説明図である。
【図５】本考案のヘルメット保護カバー４の使用状態斜視図である。
【図６】従来例図であって、（Ａ）はヘルメットカバーの正面図、（Ｂ）はカバーをヘルメットに装着した状態の縦断側面図である。
【考案を実施するための形態】
【００２７】
〔縦布片５及び横布片６の準備（図２、図３）〕
本考案は、典型的な、オートバイ用ヘルメットに被覆するヘルメット保護カバーとして実施する。
図２は横布片６の平面図であり、図３（Ａ）は縦布片５の平面図であり、（Ｂ）は図２及び図３（Ａ）に於けるＣ−Ｃ線断面図であり、図３（Ｃ）は図２及び図３（Ａ）に於けるＤ−Ｄ線断面斜視図である。
【００２８】
（縦布片５（図３（Ａ））
縦布片５の全体形状は、図３（Ａ）に示す如く、底辺５ｂの幅Ｗ５が２００mm、長さＬ５が４４５mmの矩形の先端に台形ｔｒを突出させた左右対称形状であり、台形ｔｒは、下底、即ちＷ５が２００mm、上底ｗｔが６０mm、高さ、即ち長さＬｔが９０mmである。
そして、伸縮率１０％の合繊ニット布の白色布地を表布地１１とし、伸縮率１０％の綿ニット布の赤色布地を裏生地とし、同一形状の表裏布を重ねて端縁でのみ縫合線Ｓ１で縫着する。
尚、縫糸は、製品の伸縮性を阻害しないように、慣用の伸縮性ナイロン縫糸で実施する。
【００２９】
次いで、台形ｔｒの両側斜辺には、図３（Ａ）に示す如く、ゴム紐１０封入用の開口周縁７を斜辺に沿って縫合線Ｓ７で縫着する。
開口周縁７の縫着形成は、表布地の共布をテープ上に裁断して、台形ｔｒの両側斜辺に、図３（Ｂ）に示す如く、幅方向にＵ形に折曲して、内部にゴム紐１０を封入した状態で、表布地１１と裏布地１２の重層端縁を挟着して縫合線Ｓ７で縫着し、ゴム紐１０は、図３（Ａ）に示す如く、両端を開口周縁７の両端と縫合線Ｓ８で一体化縫着する。
そして、底辺５ｂにあっては、図３（Ｃ）に示す如く、表裏布の縫合端縁を、１０mm幅で全長（Ｗ５）に亘って折返し８ｆを形成して、折返し部を縫合線Ｓ３で縫着して細幅の筒形態のゴム紐１０挿入用の底辺周縁８を形成して縦布片５とする。
【００３０】
〔横布片（図２）〕
横布片６の全体形状は、図２に示す如く、底辺６ｂの長さＬ６が５８０mmで、高さＶ１が２４５mmで、底辺６ｂの両端から、それぞれ外方への湾曲膨出形態の起立側縁６Ｓで上端曲部ｒに至り、曲部ｒから緩下向傾斜で緩凹形の内向側縁６Ｓで両側辺Ｓｅの上端、即ち開口周縁７の上端に至る左右中心線対称形状であり、開口周縁７の全体形状は、水平幅ｈ３が２６５mmで、中央高さＶ３が６５mmで、両側の開口周縁７の起立部は、それぞれ、水平幅ｈ４が２０mm、垂直高さＶ５が２５mmで拡開して入り込み、開口下辺ｂｅを形成する開口周縁７は、中央高さＶ３が６５mm、両端高さＶ４が９０mmで、中央が緩膨出した左右対称凹形状である。
【００３１】
そして、横布片６も、縦布片５同様に、同一形状、寸法の表布地１１と裏布地１２の２枚を重層して、全周縁を縫合線Ｓ１で縫着して一体化する。
この場合、表布地１１は、縦布片５の表布地と、同一素材（伸縮度１０％、合繊ニット）で異色（薄黄色）、裏布地１２も、縦布片５の裏布地と同一素材（伸度１０％、綿ニット地）で異色（黒色）とする。
【００３２】
そして、開口周縁７は、図３（Ｂ）に示す如く、縦布片５の開口周縁７と同様に、ゴム紐を封入した形態に形成して、ゴム紐１０の両端を開口周縁７の両端と、図２に示す如く、縫合線Ｓ８で一体化縫着する。
また、底辺周縁８は、図３（Ｃ）に示す如く、縦布片５での底辺周縁８の作成同様に形成し、ゴム紐１０の挿通可能な筒状折返し８ｆを縫合線Ｓ３で縫着してゴム紐１０挿通部を形成して横布片６とする。
【００３３】
〔保護カバー４の形成（図４）〕
ヘルメット保護カバー４の形成は、縦布片５の直線状の両側縁５Ｓと、横布片６の略Ｌ字形に緩屈曲した両側縁６Ｓとを整合して、両側のジョイントライン（接合線）Ｊ１，Ｊ２で線接合すれば良く、予め、二重布の縦布片５及び横布片６には、図１（Ｂ）に示す如く、二重布の一部位を部分縫合ＰＳで区画袋を形成し、切開口ＣＯを配置して収納ポケット１３を形成しておく。
本実施例では、縦布片５の両側縁５Ｓと、横布片６の両側縁６Ｓとに、慣用のスライドファスナー（ジッパー）の無歯（ムシ）列のテープを対向配置し、スライダーで閉止して、接合線Ｊ１，Ｊ２で着脱自在の一体化接合とする。
この場合、縦布片５の両側縁５Ｓと横布片６の両側縁６Ｓとの整合位置は、図２、図３（Ａ）に示す如く、縦布片５のポジションａ５が横布片６のポジションａ６と整合し、同様に、縦布片５のポジションｂ５，ｃ５，ｄ５，ｅ５，ｆ５が、それぞれ、横布片６のポジションｂ６，ｃ６，ｄ６，ｅ６，ｆ６と整合する。
【００３４】
即ち、図４（Ａ）で、縦布片５と横布片６との整合点を対向矢印で示す如く、縦布片５の底辺周縁８の両端ａ５，ｄ５が横布片６の底辺周縁８の両端ａ６，ｄ６と、縦布片５の両側縁５Ｓの中間位置ｂ５，ｅ５が横布片６の両側縁６Ｓの中間屈曲位置ｂ６，ｅ６と、縦布片５の両側縁５Ｓの先端台形ｔｒの基端ｂｐの位置、即ち開口周縁７との接点ｃ５，ｆ５が、横布片６の両側縁６Ｓの開口周縁７の両端との接点ｃ６，ｆ６と整合して縦布片５と横布片６とは接合一体化し、図１（Ａ）に示す如く、縦布片５の左側縁５Ｓが横布片６の左側縁６Ｓと接合線Ｊ１で一体化し、縦布片５の右側縁５Ｓが横布片６の右側縁６Ｓと接合線Ｊ２で一体化したカバー本体を形成する。
【００３５】
次いで、図１（Ａ）に示す如く、底辺周縁８に形成したゴム紐挿入口１０Ｃからゴム紐１０を、底辺周縁８の全周に亘って挿通して、伸長状態の下に結び１０Ｋによって、底辺周縁８の全周にゴム伸縮機能を付与する。
そして、ヘルメット本体１の内側の被覆布に配置した面ファスナー（図示せず）と係止するための面ファスナー１９を、図１に示す如く、開口上辺ｔｅ、及び底辺周縁８に配置すれば、ヘルメット保護カバー４となる。
【００３６】
〔ヘルメット保護カバーの使用（図５）〕
図５は、本考案で実施したヘルメット保護カバー４をヘルメット本体外面に装着した状態の斜視図である。
即ち、ヘルメット本体１のシールド３の開口Ｏの四周に、保護カバー４の開口周縁７を整合して、シールドの回動を阻害しないように被せ、底辺周縁８をヘルメット本体の底辺開口縁にゴム紐１０の伸縮弾性を介して被せれば、図５に示す使用状態となる。
【００３７】
本考案の実施例のヘルメット保護カバー４は、縦布片５の表布地が白色、裏布地が赤色であり、横布片６の表布地が薄黄色、裏布地が黒であるため、夏季には、表布地を外側として使用した結果、白色と薄黄色の表布地が日射の輻射熱を反射し、ヘルメット本体１の日射による高熱化は抑制出来、冬季には、表裏反転して、赤色と異色の裏布地を外側として使用した結果、ヘルメット本体１は、保護カバー４の日射熱の吸収による高温化によって冷却が抑制出来た。
しかも、ヘルメット保護カバー４は、表布地側を外側として使用の際も、裏布地側を外側として使用の際も、縦布片５が、前頭部から頭頂部を経て後頭部に亘る広幅で、両側頭部とは、接合線Ｊ１，Ｊ２で区画された前後方向の色彩コントラストを呈し、スピード感を伴う斬新なデザインを現出した。
【００３８】
そして、保護カバー４の内面に配置した収納ポケット１３への、夏季の冷却材封入や、冬季の保温材封入により、ヘルメットの着用が快適となった。
尚、収納ポケット１３の出入用の切開口ＣＯは、裏布地側に配置したが、裏布地が濃色（縦布片が赤、横布片が黒）であるため、切開口ＣＯは外見上の障害とならなかった。
また、縦布片５と横布片６とは、着脱自在に、ジッパー（スライドファスナー）で接合しているため、ヘルメット保護カバー４の損傷や汚染に対するメンテナンスは、縦布片５と横布片６とに分離実施で容易となり、縦布片５も横布片６も左右対称形状であるため、縦布片５は表布地側を表面とし、横布片６は裏布地側を表面とする接合一体化も可能となり、需要者の好みに応じたデザイン変更も可能となった。
【００３９】
そして、ヘルメット保護カバー４のヘルメット本体１の外面への被覆装着は、開口周縁７がゴム紐１０による伸縮によって、ヘルメットのシールド３の開口Ｏの外縁に弾性被覆出来、底辺周縁８がゴム紐１０による伸縮によって、ヘルメットの底辺周縁に弾性被覆出来、且つ開口周縁７の中央上辺の面ファスナー１９と、底辺周縁８に間隔配置した面ファスナー１９との、ヘルメット本体１の内側被覆布に配置したファスナー９´との係止によって、ヘルメット保護カバー４のヘルメット本体１に対する上下左右動も防止出来て、オートバイでの走行中等、ヘルメットに大きな風圧が作用しても、ヘルメットカバー４の上下左右ずれが完全に阻止出来、ヘルメット保護カバー４の走行中のシールド上へのずれによる視界狭窄の危険は完全に防止出来た。
【００４０】
〔その他〕
実施例では、縦布片５と横布片６とを二層布形態としたが、縦布片５と横布片６とは一重布としても、本考案の、縦布片５の必要条件及び横布片６の必要条件を備えてさえいれば、使用布地の裁断切出しの容易化、使用布生地の製品への歩止まり向上が可能であり、縦布片５と横布片６とを異色とすることにより、ヘルメット保護カバー４にスピード感のある斬新なデザイン付与が可能である。
そして、縦布片５と横布片６とを一重布とする際は、表裏反転のデザイン変更が期待出来ないため、縦布片５と横布片６との接合一体化は、慣用の、伸縮糸を用いた縫製手段で実施するのが、作業面、コスト面から有利である。
【００４１】
また、縦布片５と横布片６との着脱自在の接合一体化手段として、実施例では慣用のジッパーを採用したが、慣用の、間隔配置の釦手段や、間隔配置の鳩目への紐係止手段を適用すれば、接合ラインは、着脱自在となると共に、釦列や鳩目列によるデザイン効果も期待出来る。
また、実施例では、オートバイ用ヘルメットを対象とする保護カバーとしたが、自転車等、他の形態のヘルメットへの適用は、保護カバー４の前面開口部Ｏ４を、ヘルメットの前面開口と整合する周縁とすれば良い。
【符号の説明】
【００４２】
１      ヘルメット本体
２      ヘルメット外面
３      シールド
４      ヘルメット保護カバー（保護カバー）
５      縦布片
５ｂ，６ｂ    底辺
５Ｓ，６Ｓ    側縁
６      横布片
７      開口周縁
８      底辺周縁
９      ヘルメット被覆布
１０    ゴム紐
１０Ｃ  ゴム紐挿入口
１１    表布地
１２    裏布地
１３    収納ポケット
９´，１９    面ファスナー
ｂｅ    開口下辺
ＣＯ    切開口
Ｊ１，Ｊ２    接合線（ジョイントライン）
Ｏ      ヘルメット本体の前面開口（前面開口）
Ｏ４    前面開口部
ＰＳ    部分縫合
ｒ      曲部
ｓｅ    開口側辺
ｔｅ    開口上辺
ｔｒ    台形
【図１】
0003180378.tif 000003
【図２】
0003180378.tif 000004
【図３】
0003180378.tif 000005
【図４】
0003180378.tif 000006
【図５】
0003180378.tif 000007
【図６】
0003180378.tif 000008